(57)【要約】【課題】従来の環状反応器における環状成型触媒または円柱状触媒の固定、ガスシールの問題点を解決し、施工が容易で、ガス偏流を防止し、触媒性能を向上させた環状反応器、その作製方法及びシール方法を得る。【解決手段】筒状内管及び該筒状内管と同心の筒状外管間に環状成型触媒を配置した環状反応器であって、（ａ）環状成型触媒の下面と内管の外周との隙間、（ｂ）環状成型触媒の下面と外管の内周との隙間、（ｃ）環状成型触媒の上面と内管の外周との隙間及び（ｄ）環状成型触媒の上面と外管の内周との隙間のうちの少なくとも１箇所に切れ込みを有する金属製Ｃ型リングが配置されてなることを特徴とする環状反応器、その作製方法及びシール方法。【選択図】図７
2006223971.tif 000002
【特許請求の範囲】
【請求項１】
筒状内管及び該筒状内管と同心の筒状外管間に環状成型触媒を配置した環状反応器であって、（ａ）環状成型触媒の下面と内管の外周との隙間、（ｂ）環状成型触媒の下面と外管の内周との隙間、（ｃ）環状成型触媒の上面と内管の外周との隙間及び（ｄ）環状成型触媒の上面と外管の内周との隙間のうちの少なくとも１箇所に切れ込みを有する金属製Ｃ型リングが配置されてなることを特徴とする環状反応器。
【請求項２】
請求項１に記載の環状反応器において、（ａ）環状成型触媒の下面と内管の外周との隙間及び（ｂ）環状成型触媒の下面と外管の内周との隙間にそれぞれ切れ込みを有する金属製Ｃ型リングが配置されてなることを特徴とする環状反応器。
【請求項３】
請求項１に記載の環状反応器において、（ｃ）環状成型触媒の上面と内管の外周との隙間及び（ｄ）環状成型触媒の上面と外管の内周との隙間にそれぞれ切れ込みを有する金属製Ｃ型リングが配置されてなることを特徴とする環状反応器。
【請求項４】
請求項１に記載の環状反応器において、（ａ）環状成型触媒の下面と内管の外周との隙間、（ｂ）環状成型触媒の下面と外管の内周との隙間、（ｃ）環状成型触媒の上面と内管の外周との隙間及び（ｄ）環状成型触媒の上面と外管の内周との隙間に切れ込みを有する金属製Ｃ型リングが配置されてなることを特徴とする環状反応器。
【請求項５】
前記内管と環状成型触媒間の隙間に配置した切れ込みを有する金属製Ｃ型リングが、金属製Ｃ型リングの縮まろうとする反発力で内管に固定されてなることを特徴とする請求項１〜４のいずれか１項に記載の環状反応器。
【請求項６】
円筒状外管に円柱状触媒を配置した環状反応器であって、円柱状触媒の下面と筒状外管の内周との隙間及び円柱状触媒の上面と円筒状外管の内周との隙間のうちの少なくとも１箇所に切れ込みを有する金属製Ｃ型リングが配置されてなることを特徴とする環状反応器。
【請求項７】
前記外管と環状成型触媒の隙間または前記外管と円柱状触媒間の隙間に配置した切れ込みを有する金属製Ｃ型リングが、金属製Ｃ型リングの広がろうとする反発力で外管に固定されてなることを特徴とする請求項１〜６のいずれか１項に記載の環状反応器。
【請求項８】
前記環状反応器が吸熱を伴う反応または発熱を伴う反応に用いる反応器であることを特徴とする請求項１〜７のいずれか１項に記載の環状反応器。
【請求項９】
前記環状反応器が炭化水素の水蒸気改質反応に用いる反応器であることを特徴とする請求項１〜７のいずれか１項に記載の環状反応器。
【請求項１０】
前記環状反応器が燃料電池システムにおける炭化水素の水蒸気改質反応に用いる反応器であることを特徴とする請求項９に記載の環状反応器。
【請求項１１】
前記環状反応器が縦置きまたは横置きに配置された環状反応器であることを特徴とする請求項１〜１０のいずれか１項に記載の環状反応器。
【請求項１２】
筒状内管及び該筒状内管と同心の筒状外管間に環状成型触媒を配置した環状反応器の作製方法であって、（ａ）環状成型触媒の下面と内管の外周との隙間、（ｂ）環状成型触媒の下面と外管の内周との隙間、（ｃ）環状成型触媒の上面と内管の外周との隙間及び（ｄ）環状成型触媒の上面と外管の内周との隙間のうちの少なくとも１箇所に切れ込みを有する金属製Ｃ型リングを配置することを特徴とする環状反応器の作製方法。
【請求項１３】
前記内管と環状成型触媒間の隙間に配置する切れ込みを有する金属製Ｃ型リングが、金属製Ｃ型リングの縮まろうとする反発力で内管に固定する金属製Ｃ型リングであることを特徴とする請求項１２に記載の環状反応器の作製方法。
【請求項１４】
円筒状外管に円柱状触媒を配置した環状反応器の作製方法であって、円柱状触媒の下面と円筒状外管の内周との隙間及び円柱状触媒の上面と円筒状外管の内周との隙間のうちの少なくとも１箇所に切れ込みを有する金属製Ｃ型リングを配置することを特徴とする環状反応器の作製方法。
【請求項１５】
前記外管と環状成型触媒または円柱状触媒間の隙間に配置する切れ込みを有する金属製Ｃ型リングが、金属製Ｃ型リングの広がろうとする反発力で外管に固定する金属製Ｃ型リングであることを特徴とする請求項１２〜１４のいずれか１項に記載の環状反応器の作製方法。
【請求項１６】
前記環状反応器が吸熱を伴う反応または発熱を伴う反応に用いる反応器であることを特徴とする請求項１２〜１５のいずれか１項に記載の環状反応器の作製方法。
【請求項１７】
前記環状反応器が炭化水素の水蒸気改質反応に用いる反応器であることを特徴とする請求項１２〜１５のいずれか１項に記載の環状反応器の作製方法。
【請求項１８】
前記環状反応器が燃料電池システムにおける炭化水素の水蒸気改質反応に用いる反応器であることを特徴とする請求項１７に記載の環状反応器の作製方法。
【請求項１９】
筒状内管及び該筒状内管と同心の筒状外管間に環状成型触媒を配置した環状反応器における環状成型触媒と内管及び外管との間の間隙のシール方法であって、（ａ）環状成型触媒の下面と内管の外周との隙間、（ｂ）環状成型触媒の下面と外管の内周との隙間、（ｃ）環状成型触媒の上面と内管の外周との隙間及び（ｄ）環状成型触媒の上面と外管の内周との隙間のうちの少なくとも１箇所に切れ込みを有する金属製Ｃ型リングを配置することでシールすることを特徴とする環状反応器のシール方法。
【請求項２０】
前記内管と環状成型触媒間の隙間に配置する切れ込みを有する金属製Ｃ型リングが、金属製Ｃ型リングの縮まろうとする反発力で内管に固定することでシールする金属製Ｃ型リングであることを特徴とする請求項１９に記載の環状反応器のシール方法。
【請求項２１】
円筒状外管に円柱状触媒を配置した環状反応器における円柱状触媒と円筒状外管との間の間隙のシール方法であって、円柱状触媒の下面と円筒状外管の内周との隙間及び円柱状触媒の上面と円筒状外管の内周との隙間のうちの少なくとも１箇所に切れ込みを有する金属製Ｃ型リングを配置することでシールすることを特徴とする環状反応器のシール方法。
【請求項２２】
前記外管と環状成型触媒または円柱状触媒間の隙間に配置する切れ込みを有する金属製Ｃ型リングが、金属製Ｃ型リングの広がろうとする反発力で外管に固定する金属製Ｃ型リングであることを特徴とする請求項２１に記載の環状反応器のシール方法。
【請求項２３】
前記環状反応器が吸熱を伴う反応または発熱を伴う反応に用いる反応器であることを特徴とする請求項１９〜２２のいずれか１項に記載の環状反応器のシール方法。
【請求項２４】
前記環状反応器が炭化水素の水蒸気改質反応に用いる反応器であることを特徴とする請求項１９〜２２のいずれか１項に記載の環状反応器のシール方法。
【請求項２５】
前記環状反応器が燃料電池システムにおける炭化水素の水蒸気改質反応に用いる反応器であることを特徴とする請求項２４に記載の環状反応器のシール方法。
【発明の詳細な説明】
【技術分野】
【０００１】
本発明は、環状反応器、その作製方法及びシール方法に関し、より詳しくは炭化水素の脱水素や炭化水素の水蒸気改質、あるいは排気ガス浄化などに用いられる環状反応器、その作製方法及びシール方法に関する。
【背景技術】
【０００２】
従来、環状成型触媒を充填した環状反応器が知られており、環状反応器ではその触媒に反応原料流体を流通させることで所期の反応生成物が生成される。このように環状成型触媒を容器に充填して使用する場合、触媒と容器の隙間のシール方法として、（ａ）無機質繊維マットを触媒の外側に巻いてシールする方法（特開２００２−５０３８３号公報）や（ｂ）触媒とケースの間に拡径可能なスペーサを入れ、触媒の弾性を利用してシールする方法（特開２００１−３５５４３７号公報）が提案されており、また（ｃ）触媒の大きさを調整し、スペーサ無しで充填する方法も考えられる。
【０００３】
【特許文献１】特開２００２−５０３８３号公報
【特許文献２】特開２００１−３５５４３７号公報
【０００４】
そのうち特開２００２−５０３８３号公報は、燃料電池用改質器に関するもので、図１８はその態様例を示す図である。触媒保持体３０に無機質繊維マット２００を巻き付ける。このため、無機質繊維マット２００の一方の端部２１が他方の端部２２に嵌合するようにする。一方の端部２１には凸部２１１を形成し、他方の端部２２には凹部２２１を形成する。次に、図１８（ｂ）〜（ｃ）に示すように、マット２００の上に未だ触媒成分を担持していない触媒保持体３０を載置してマット２００を巻き付ける。このとき端部２２に端部２１が重なるので、長手方向の余剰部分２３を点線２９において切断する。
【０００５】
次に、図１８（ｄ）のように、切断後の凸部２１１を凹部２２１に嵌合させ、マット２００を触媒保持体３０の外周に取り付ける。こうして保持シール材２０が形成される。次に、保持シール材２０をテープまたは接着剤等の固定具により触媒保持体３０に固定する。そして金属シェル９５の中に圧入して一体品とする。こうして、金属シェル９５の中に圧入した後、スラリー状の触媒溶液により触媒保持体３０に触媒成分を担持させる。
【０００６】
また、特開２００１−３５５４３７号公報は、触媒保持構造に関するもので、図１９はその態様例を示す図で、図１９（ａ）は断面構成図、図１９（ｂ）は主要構成部材の分解斜視図である。触媒ケース１００内の下流側にはテーパー面を有するロート部１００ａが形成されており、触媒ケース１００の上流端には排気マニホールド１０５が摩擦圧接により接合されるようになっている。触媒ケース１００内には触媒１０２が挿着され、触媒１０２の外周には触媒保持材１０３が巻かれて保持されている。触媒保持材１０３の外周にはスペーサ１０４が介装されている。スペーサ１０４は円筒状に形成されているが、重なり部で分割されており、重なり部の重なり代を調整することにより、内径を縮径させることも拡径させることも自由なように構成されている。
【発明の開示】
【発明が解決しようとする課題】
【０００７】
ところで、例えば固体高分子型燃料電池などの水素を燃料とする家庭用燃料電池の燃料処理装置の改質部に環状成型触媒を適用する場合、（１）内側、外側からの十分な伝熱の確保、（２）起動停止によって生じる触媒の熱収縮に対する耐久性、（３）未反応ガスの吹き抜けの防止、（４）施工の容易さが必要である。
【０００８】
しかし、（ａ）特開２００２−５０３８３号公報のように無機質繊維マットを触媒の外側に巻いてシールする方法では、外側からの十分な伝熱の確保が難しく、施工の容易さの点でも難点がある。また、（ｂ）特開２００１−３５５４３７号公報のように、触媒とケースの間に拡径可能なスペーサを入れ、触媒の弾性を利用してシールする方法では、施工の容易さの点で難点があり、またスペーサにガラス繊維を用いる場合には内側、外側からの十分な伝熱の確保が難しい。さらに、（ｃ）触媒の大きさを調整し、スペーサー無しで充填する方法では、未反応ガスの吹き抜けの防止がなかなか難しい。
【０００９】
そこで、本発明は、従来の環状反応器における以上のような問題点を解決し、施工が容易で、ガス偏流を防止し、触媒性能を向上させてなる環状反応器、その作製方法及びシール方法を提供することを目的とするものである。
【課題を解決するための手段】
【００１０】
本発明は、（１）筒状内管及び該筒状内管と同心の筒状外管間に環状成型触媒を配置した環状反応器であって、環状成型触媒の下面と内管の外周との隙間、環状成型触媒の下面と外管の内周との隙間、環状成型触媒の上面と内管の外周との隙間及び環状成型触媒の上面と外管の内周との隙間のうちの少なくとも１箇所に切れ込みを有する金属製Ｃ型リングが配置されてなることを特徴とする環状反応器を提供する。
【００１１】
本発明は、（２）円筒状外管に円柱状触媒を配置した環状反応器であって、円柱状触媒の下面と筒状外管の内周との隙間及び円柱状触媒の上面と円筒状外管の内周との隙間のうちの少なくとも１箇所に切れ込みを有する金属製Ｃ型リングが配置されてなることを特徴とする環状反応器を提供する。
【００１２】
本発明は、（３）筒状内管及び該筒状内管と同心の筒状外管間に環状成型触媒を配置した環状反応器の作製方法であって、環状成型触媒の下面と内管の外周との隙間、環状成型触媒の下面と外管の内周との隙間、環状成型触媒の上面と内管の外周との隙間及び環状成型触媒の上面と外管の内周との隙間のうちの少なくとも１箇所に切れ込みを有する金属製Ｃ型リングを配置することを特徴とする環状反応器の作製方法を提供する。
【００１３】
本発明は、（４）円筒状外管に円柱状触媒を配置した環状反応器の作製方法であって、円柱状触媒の下面と円筒状外管の内周との隙間及び円柱状触媒の上面と円筒状外管の内周との隙間のうちの少なくとも１箇所に切れ込みを有する金属製Ｃ型リングを配置することを特徴とする環状反応器の作製方法を提供する。
【００１４】
本発明は、（５）筒状内管及び該筒状内管と同心の筒状外管間に環状成型触媒を配置した環状反応器における環状成型触媒と内管及び外管との間の間隙のシール方法であって、環状成型触媒の下面と内管の外周との隙間、環状成型触媒の下面と外管の内周との隙間、環状成型触媒の上面と内管の外周との隙間及び環状成型触媒の上面と外管の内周との隙間のうちの少なくとも１箇所に切れ込みを有する金属製Ｃ型リングを配置することでシールすることを特徴とする環状反応器のシール方法を提供する。
【００１５】
本発明は、（６）円筒状外管に円柱状触媒を配置した環状反応器における円柱状触媒と円筒状外管との間の間隙のシール方法であって、円柱状触媒の下面と円筒状外管の内周との隙間及び円柱状触媒の上面と円筒状外管の内周との隙間のうちの少なくとも１箇所に切れ込みを有する金属製Ｃ型リングを配置することでシールすることを特徴とする環状反応器のシール方法を提供する。
【発明を実施するための最良の形態】
【００１６】
本発明（１）は、筒状内管及び該筒状内管と同心の筒状外管間に環状成型触媒を配置した環状反応器である。そして、（ａ）環状成型触媒の下面と内管の外周との隙間、（ｂ）環状成型触媒の下面と外管の内周との隙間、（ｃ）環状成型触媒の上面と内管の外周との隙間及び（ｄ）環状成型触媒の上面と外管の内周との隙間のうちの少なくとも１箇所に切れ込みを有する金属製Ｃ型リングが配置されてなることを特徴とする。
【００１７】
本発明（１）の態様例としては、（ａ）〜（ｂ）の隙間にそれぞれ切れ込みを有する金属製Ｃ型リングが配置されてなる態様、（ｃ）〜（ｄ）の隙間にそれぞれ切れ込みを有する金属製Ｃ型リングが配置されてなる態様、（ａ）〜（ｄ）の隙間にそれぞれ切れ込みを有する金属製Ｃ型リングが配置されてなる態様など各種態様で構成することができる。
【００１８】
本発明（２）は、円筒状外管に円柱状触媒を配置した環状反応器である。そして、円柱状触媒の下面と筒状外管の内周との隙間及び円柱状触媒の上面と円筒状外管の内周との隙間のうちの少なくとも１箇所に切れ込みを有する金属製Ｃ型リングが配置されてなることを特徴とする。
【００１９】
本発明（３）は、筒状内管及び該筒状内管と同心の筒状外管間に環状成型触媒を配置した環状反応器の作製方法である。そして、環状成型触媒の下面と内管の外周との隙間、環状成型触媒の下面と外管の内周との隙間、環状成型触媒の上面と内管の外周との隙間及び環状成型触媒の上面と外管の内周との隙間のうちの少なくとも１箇所に切れ込みを有する金属製Ｃ型リングを配置することを特徴とする。
【００２０】
本発明（４）は、円筒状外管に円柱状触媒を配置した環状反応器の作製方法である。そして、円柱状触媒の下面と円筒状外管の内周との隙間及び円柱状触媒の上面と円筒状外管の内周との隙間のうちの少なくとも１箇所に切れ込みを有する金属製Ｃ型リングを配置することを特徴とする。
【００２１】
本発明（５）は、筒状内管及び該筒状内管と同心の筒状外管間に環状成型触媒を配置した環状反応器における環状成型触媒と内管及び外管との間の間隙のシール方法である。そして、環状成型触媒の下面と内管の外周との隙間、環状成型触媒の下面と外管の内周との隙間、環状成型触媒の上面と内管の外周との隙間及び環状成型触媒の上面と外管の内周との隙間のうちの少なくとも１箇所に切れ込みを有する金属製Ｃ型リングを配置することでシールすることを特徴とする。
【００２２】
本発明（６）は、円筒状外管に円柱状触媒を配置した環状反応器における円柱状触媒と円筒状外管との間の間隙のシール方法である。そして、円柱状触媒の下面と円筒状外管の内周との隙間及び円柱状触媒の上面と円筒状外管の内周との隙間のうちの少なくとも１箇所に切れ込みを有する金属製Ｃ型リングを配置することでシールすることを特徴とする。
【００２３】
本発明の態様を図面を基にさらに詳しく説明する。図１は本発明で対象とする円筒状触媒、すなわち環状成型触媒の例を示す図である。図１（ａ）はハニカム体に触媒を担持した環状成型触媒１で、ハニカム体に触媒粉末を懸濁液として含浸法やウォッシュコート等により担持することで構成される。ハニカム体（モノリス体）としては鉄ーアルミニウムークロム系合金やステンレス鋼（例えばＳＵＳ３０４、ＳＵＳ３１０）等の金属製またはコージェライト等のセラミック製のものが使用される。
【００２４】
図１（ｂ）は触媒及び担体により成型してなる多孔質環状成型触媒１で、例えば触媒粉末及び担体粉末をバインダー等の補助材とともに成型し、焼成することで構成される。これら環状成型触媒１は、円環状の空隙２を有する。環状成型触媒１の内径、外径、軸方向（上下方向）等の各寸法は、例えば軸方向の長さを長くするなど、適宜選定される。本明細書及び特許請求の範囲においては、これらハニカム体に触媒を担持した環状成型触媒及び多孔質環状成型触媒を含めて環状成型触媒と称している。
【００２５】
本発明においては、例えば図１（ａ）〜（ｂ）のような環状成型触媒が筒状内管及び筒状外管間に配置される。筒状内管及び筒状外管の構成材料としては例えばステンレス鋼（例えばＳＵＳ３０４、ＳＵＳ３１０）などの耐熱合金が用いられる。筒状外管は筒状内管と同心ないし略同心に配置される。なお、本明細書及び特許請求の範囲において、筒状外管について言う“筒状内管と同心”とは、筒状外管が筒状内管と正に同心である場合のほか、筒状外管が筒状内管と略同心である場合を含む意味である。
【００２６】
図２（ａ）は筒状内管３を示す図で、その外径ａ′は環状成型触媒１の内径ａより小さくする（ａ＞ａ′）。図２（ｂ）は筒状外管４を示す図で、その内径ｂ′は環状成型触媒１の外径ｂより大きくする（ｂ′＞ｂ）。そして、環状成型触媒１の下面と内管３の外周との間及び環状成型触媒１の下面と外管４の内周との間に、それぞれ、切れ込みを有する金属製Ｃ型リングが配置される。金属製Ｃ型リングの構成材料としてはステンレス鋼（例えばＳＵＳ３０４、ＳＵＳ３１０）などの耐熱合金を用いる。Ｃ型リングの材質は、熱膨張率等との関係で内管、外管の材質と同じであるのが好ましい。
【００２７】
図３は内管３側に配置される金属製Ｃ型リング５の態様を示す図である。図３（ａ）は平面図、図３（ｂ）は斜視図である。円環状Ｃ型リング５の一箇所に外周から内周に向けて切れ込み６を有する。本発明における円環状Ｃ型リングの切れ込み６は、図３（ａ）〜（ｂ）のような楔状のほか、スリット状その他適宜の形状とすることができる。図３（ｃ）は円環状Ｃ型リング５の一箇所を切断してスリット状にした態様である。Ｃ型リング５の内径ｗは、筒状内管３の外径ａ′より小さくする（ｗ＜ａ′）。Ｃ型リング５の外径ｘは、環状成型触媒１の内径ａより大きくする（ｘ＞ａ）。Ｃ型リング５の厚さ、幅はその使用目的、すなわち弾性を保持し、触媒を支持、固定し、ガスシールし得る範囲で適宜設定される。
【００２８】
図４は外管４側に配置される金属製Ｃ型リング７の態様を示す図である。図４（ａ）は平面図、図４（ｂ）は斜視図である。円環状Ｃ型リング７の一箇所に外周から内周に向けて切れ込み８を有する。本発明における円環状Ｃ型リング７の切れ込み８は、楔状のほか、スリット状その他適宜の形状とすることができる。その内径ｚは、環状成型触媒１の外径ｂより小さくする（ｚ＜ｂ）。その外径ｙは、外管４の内径ｂ′より大きくする（ｙ＞ｂ′）。Ｃ型リング７の厚さ、幅はその使用目的、すなわち弾性を保持し、触媒を支持、固定し、ガスシールし得る範囲で適宜設定される。
【００２９】
〈態様例１：Ｃ型リングによる内管、外管に対する環状成型触媒の固定、シールの態様例（その１）〉
内管３に対して環状成型触媒１を金属製Ｃ型リング５を介して固定し、シールする態様は以下のとおりである。図５は、その態様を説明する図である。まず、図５（ａ）のとおり、金属製Ｃ型リング５の切れ込み６の側を左右に引っ張って広げる。左右への引っ張り、広げには治具を用いてもよい。その状況を図５（ａ）中矢印（←→）で示している。図５（ｂ）は広げた状態を示す図で、Ｃ型リング５の内径ｗはαだけ広がっている。この状態のＣ型リング５に内管３を嵌挿して固定する。図５（ｃ）〜（ｄ）はその経過を示す図である。
【００３０】
Ｃ型リング５を図５（ｂ）のように広げた状態では（ｗ＋α）＞ａ′である。この状態では、図５（ｄ）中Ｓとして示すように、内管３の外周とＣ型リング５の内側面との間に間隙が保てるので、Ｃ型リング５を内管３の外周に容易に嵌挿することができる。Ｃ型リング５を嵌挿し位置決めした後、左右への引っ張っりを止めると、Ｃ型リング５の縮まろうとする反発力で内管３に固定される。ここで、金属製Ｃ型リング５は、その弾性による縮まろうと反発力により別途固定具を用いることなく内管に固定される。図５（ｅ）は、こうして内管３にＣ型リング５を固定した状態を示している。
【００３１】
次に、図５（ｆ）のように内管３の外周に環状成型触媒１を配置する。環状成型触媒１の内径ａは内管３の外径ａ′より大きいので（ａ＞ａ′）、環状成型触媒１は内管３の外周に容易に嵌挿することができる。さらに、別のＣ型リング５を、図５（ａ）〜（ｂ）のように広げながら内管３を嵌挿して、内管３の外周で且つ環状成型触媒１の上部面に固定し、シールする。図５（ｇ）はこの状態を示している。
【００３２】
外管４に対して環状成型触媒１を金属製Ｃ型リング７を介して固定し、シールする態様は以下のとおりである。図６はその態様を説明する図である。まず、図６（ａ）のとおり、金属製Ｃ型リング７の切れ込み８の側を左右から押圧して縮める。左右からの押圧、縮めには治具を用いてもよい。その状況を図６（ａ）中矢印（→←）で示している。図６（ｂ）は縮めた状態を示す図で、Ｃ型リング７の外径ｙはαだけ縮まり、この状態で（ｙ−α）＜ｂ′である。
【００３３】
この状態においては、図６（ｃ）中Ｓ′として示すように、外管３の内周とＣ型リング７の外側面との間に間隙が保てるので、Ｃ型リング７を外管４の内周に容易に嵌挿することができる。嵌挿し位置決めした後押圧を止めると（すなわち押圧を解放すると）、Ｃ型リング７の広がろうとする反発力で外管４に対して固定される。Ｃ型リング７は、その弾性による広がろうと反発力により別途固定具を用いることなく外管に固定される。図６（ｄ）はこうして外管４にＣ型リング７を固定した状態を示している。
【００３４】
次に、図６（ｅ）のように、外管４内に、前述図５（ｇ）のように構成した構造体を嵌挿する。外管４の内径ｂ′は環状成型触媒１の外径ｂより大きいので（ｂ′＞ｂ）、環状成型触媒１は外管４内に容易に嵌挿することができる。そして、その外管４の内周にはＣ型リング７が固定されているので、環状成型触媒１の上部面がＣ型リング７と当接する。図６（ｆ）はこの状態を示している。
【００３５】
さらに、図６（ｆ）の環状成型触媒１の下部面に示すように、図６（ｂ）のように押圧して縮めた別のＣ型リング７を位置させ、押圧を止めると（すなわち押圧を解放すると）、Ｃ型リング７は、その弾性による広がろうと反発力により別途固定具を用いることなく外管に固定される。図６（ｇ）はこの状態を示している。
【００３６】
以上の過程では、環状成型触媒１をＣ型リング５により内管３に配置した後、Ｃ型リング７により外管４に配置する場合につい説明したが、この順序に限定はなく、各種順序で行える。例えば、（１）上記順序とは逆に、環状成型触媒１をＣ型リング７により外管４内に配置した後、Ｃ型リング５により内管３に配置する、（２）図５（ｅ）のように内管３にＣ型リング５を固定するとともに、後述図８（ｄ）のように外管４にＣ型リング７を固定した後、内管３、外管４間に環状成型触媒１を嵌挿し、その環状成型触媒１の上面を別のＣ型リング５とＣ型リング７で固定する、など適宜の順序で行える。いずれの順序によっても図６（ｇ）の状態となる。
【００３７】
図７は、以上のようにして構成した本発明に係る環状反応器の要点部分を示す図である。図７（ａ）は縦断面図、図７（ｂ）は環状成型触媒について、その軸方向（上下方向）の長さを長くした場合の縦断面図である。図７（ｃ）は図７（ａ）〜（ｂ）の全体を上から見た図で、その全体を下から見ても同じである。この状態において、Ｃ型リング５の縮まろうとする反発力により内管外面に対してＣ型リング５が強固に固定され、またＣ型リング７の広がろうとする反発力により外管内面に対してＣ型リング７が強固に固定されるので、上下のＣ型リング５、７間に配置された環状成型触媒１を十分に支持することができる。
【００３８】
一方、ガスシールの点については、その状態において、Ｃ型リング５の縮まろうとする反発力により内管外面に対してＣ型リング５が密にシールされるので、内管外面とＣ型リング５間でガスが素通りすることなく十分にガスシールされ、またＣ型リング７の広がろうとする反発力により外管内面に対してＣ型リング７が密にシールされるので、外管内面とＣ型リング７間でガスが素通りすることなく十分にガスシールされる。
【００３９】
なお、図７（ｃ）中、６は円環状Ｃ型リング５の楔状切れ込みであり、この楔状切れ込みにより、環状成型触媒１の下部面周縁との間、またその上部面周縁との間に僅かではあるが空隙が生じ、この空隙をガスが素通りする可能性がある。これを回避するため、必要に応じて、その空隙を金属ろう材等で塞ぐことでガスが素通りするのを防止することができる。金属ろう材等で塞ぐのに代えて、円環状Ｃ型リング５を複数枚用い、楔状切れ込み６の部位をずらして配置することでガスの素通りを防止してもよい。
【００４０】
また、図７（ｃ）中、８は円環状Ｃ型リング７の楔状切れ込みであり、この楔状切れ込みにより、環状成型触媒１の下部面周縁との間、またその上部面周縁との間に僅かではあるが空隙が生じ、この空隙をガスが素通りする可能性がある。これを回避するため、必要に応じて、その空隙を金属ろう材等で塞ぐことでガスが素通りするのを防止することができる。金属ろう材等で塞ぐのに代えて、円環状Ｃ型リング７を複数枚用い、楔状切れ込み８の部位をずらして配置することでガスの素通りを防止してもよい。
【００４１】
なお、図７（ｃ）中、幅“Ｒ”として示すように、Ｃ型リング５の外周縁とＣ型リング７の内周縁との間が環状成型触媒１への反応ガス（被処理ガス）の円環状供給口となり、また反応済みガス（処理済みガス）の円環状排出部となる。以上の点は以下の態様例についても同様である。
【００４２】
反応器としての使用時には、本反応器を縦置きに配置して使用する場合、反応ガス（被処理ガス）を上方から下方へ流通させながら反応させ、あるいは反応ガスを下方から上方へ流通させながら反応させる。反応済みガス（処理済みガス）は、それぞれ下方または上方から取り出される。内管内側および／または外管外側には、吸熱反応の場合には加熱用媒体が通され、発熱反応の場合には冷却用媒体が通される。
【００４３】
その際、環状成型触媒と内管の間、環状成型触媒と外管の間には図７（ａ）〜（ｂ）に示すように隙間Ｔがあるので、環状成型触媒の熱膨張率と内管、外管の熱膨張率に差があっても、その隙間Ｔは（例えば高温域でのその熱膨張率の差に起因して、その隙間Ｔが広くあるいは狭くなることはあっても）保たれるので、環状成型触媒が破損することはない。なお、この点については、環状成型触媒の熱膨張率と内管、外管の熱膨張率とにより、予めその隙間Ｔをセットしておくことで、反応器として使用時の温度においても確実に隙間Ｔが保たれるようにしておくのが好ましい。その隙間Ｔは可及的に小すなわち薄いのが好ましい。これらの点は以下の態様についても同様である。
【００４４】
また、本環状反応器は、そのように縦置きに配置して使用するのに代えて、横置きに配置して使用してもよい。この場合には、横置きした本環状反応器のいずれか一方の側から反応ガス（被処理ガス）を流通させながら反応させる。反応済みガス（処理済みガス）は、それぞれ他方から取り出される。
【００４５】
〈態様例２：Ｃ型リングによる内管、外管に対する環状成型触媒の固定、シールの態様例（その２）〉
態様例１では、内管、外管に対して、Ｃ型リングにより環状成型触媒の下部及び上部を固定、シールしているが、Ｃ型リングにより環状成型触媒の下部のみを内管、外管に対して固定、シールしてもよい。図８〜９は本態様例２を説明する図である。
【００４６】
図８（ａ）から（ｃ）までは前述図６（ａ）から（ｃ）までと同様である。すなわち、図８（ａ）のとおり、Ｃ型リング７の切れ込み８の側を左右から押圧して縮める。図８（ｂ）は縮めた状態を示す図で、Ｃ型リング７の外径ｙはαだけ縮まり、この状態で（ｙ−α）＜ｂ′である。この状態においては、図８（ｃ）中Ｓ′として示すように、外管３の内周とＣ型リング７の外側面との間に間隙が保てるので、Ｃ型リング７を外管４の内周に容易に嵌挿することができる。嵌挿し位置決めした後押圧を止めると（すなわち押圧を解放すると）、Ｃ型リング７の広がろうとする反発力で固定される。図８（ｄ）はこうして外管４にＣ型リング７を固定した状態を示している。
【００４７】
次に、図８（ｅ）のように、外管４内に、前述図５（ｆ）のように構成した構造体を嵌挿する。外管４の内径ｂ′は環状成型触媒１の外径ｂより大きいので（ｂ′＞ｂ）、環状成型触媒１は外管４の内に容易に嵌挿することができる。その外管４の内周面にＣ型リング７が固定されているので、環状成型触媒１の下部周面がＣ型リング７と当接する。図８（ｆ）はこの状態を示している。
【００４８】
図９は、以上のように構成した本発明の態様例２に係る環状反応器の要点部分を示す図である。図９（ａ）は縦断面図、図９（ｂ）は平面図〔図９（ａ）の全体を上から見た図に相当する〕、図９（ｃ）は裏面図〔図９（ａ）の全体を下から見た図に相当する〕である。この状態において、Ｃ型リング５の縮まろうとする反発力により内管外面に対してＣ型リング５が強固に固定され、またＣ型リング７の広がろうとする反発力により外管内面に対してＣ型リング７が強固に固定されるので、Ｃ型リング５、７上に配置された環状成型触媒１を十分に支持することができる。
【００４９】
一方、ガスシールについては、図９の状態において、Ｃ型リング５の縮まろうとする反発力により内管外面に対してＣ型リング５が密にシールされるので、内管外周面とＣ型リング５間でガスが素通りすることなく十分にシールされる。また、Ｃ型リング７の広がろうとする反発力により外管内面に対してＣ型リング７が密にシールされるので、外管内面とＣ型リング７間でガスが素通りすることなく十分にシールされる。
【００５０】
図８（ｆ）、図９の状態の環状反応器において、環状成型触媒１の上部面と内管外周及び／または外管内周との間に押さえ部材を配置して、環状成型触媒１を押さえるようにしてもよい。押さえ部材はその押さえの役割を果たし得る部材であればよく、円環状丸棒（溶接等により固定する）その他適宜の部材を用いることができる。このように、環状成型触媒１の上部面と内管外周、外管内周との間に押さえ部材を配置して環状成型触媒１を押さえることで、本反応器を縦置きに配置して使用する場合、図８（ｆ）、図９（ａ）とは上下逆に設置して、Ｃ型リング５、７を上部に配置した態様で使用することができる。
【００５１】
反応器としての使用時には、本反応器を縦置きに配置して使用する場合、反応ガス（被処理ガス）を上方から下方へ流通させながら反応させ、反応済みガス（処理済みガス）は下方から取り出される。反応ガスを下方から上方へ流通させる場合には、反応済みガスは上方から取り出される。内管には、吸熱反応の場合には加熱用媒体が通され、発熱反応の場合には冷却用媒体が通される。
【００５２】
本環状反応器は、そのように縦置きに配置して使用するのに代えて、横置きに配置して使用してもよい。この場合には、横置きした本環状反応器のいずれか一方の側から反応ガス（被処理ガス）を流通させながら反応させる。反応済みガス（処理済みガス）は、それぞれ他方から取り出される。これらの点は以下の態様例についても同様である。
【００５３】
〈態様例３：Ｃ型リングによる内管、外管に対する環状成型触媒の固定、シールの態様例（その３）〉
態様例１は内管、外管に対してＣ型リングにより環状成型触媒の下部及び上部を固定、シールした態様、また、態様例２はＣ型リングにより環状成型触媒の下部のみを内管、外管に対して固定、シールした態様である。本発明は、このほか各種態様で構成することができる。図１０〜１１はそれら態様を説明する図である。
【００５４】
図１０（ａ）は、環状成型触媒１の下部面と内管３の外周との間にＣ型リング５を、環状成型触媒１の上部面と外管４の内周との間にＣ型リング７を配置した態様である。この態様では、環状成型触媒１の下部面と外管４の外周との間、環状成型触媒１の上部面と内管３の内周との間にはＣ型リングは配置しないが、これらの間については、必要に応じて、円環状丸棒（溶接等により固定する）その他適宜の部材を配置する。このように、Ｃ型リング５、Ｃ型リング７を配置しない個所にそのような適宜の部材を配置する点については、以下の態様例についても同様である。
【００５５】
図１０（ｂ）は、環状成型触媒１の上部面と外管４の内周との間にＣ型リング７を配置した態様である。 図１０（ｃ）は、環状成型触媒１の上部面と内管３の外周との間にＣ型リング５を配置した態様である。図１０（ｄ）は、環状成型触媒１の上部面と内管３の外周との間にＣ型リング５を配置し、環状成型触媒１の下部面と外管４の内周との間にＣ型リング７を配置した態様であり、図１０（ａ）を上下逆にした場合に相当している。図１０（ｅ）は、環状成型触媒１の下部面と外管４の内周との間にＣ型リング７を配置した態様であり、図１０（ｂ）を上下逆にした場合に相当している。図１０（ｆ）は、環状成型触媒１の下部面と内管３の外周との間にＣ型リング５を配置した態様であり、図１０（ｃ）を上下逆にした場合に相当している。
【００５６】
図１１（ａ）は、環状成型触媒１の下部面と内管３の外周との間にＣ型リング５を配置し、環状成型触媒１の下部面と外管４の内周との間にＣ型リング７を配置し、環状成型触媒１の上部面と外管４の内周との間にＣ型リング７を配置した態様である。図１１（ｂ）は、環状成型触媒１の上部面と内管３の外周との間にＣ型リング５を配置し、環状成型触媒１の上部面と外管４の内周との間にＣ型リング７を配置し、環状成型触媒１の下部面と外管４の内周との間にＣ型リング７を配置した態様である。図１１（ｂ）は図１１（ａ）を上下逆にした場合に相当している。
【００５７】
図１１（ｃ）は、環状成型触媒１の上部面と内管３の外周との間にＣ型リング５を配置し、環状成型触媒１の下部面と内管３の外周との間にＣ型リング５を配置し、環状成型触媒１の下部面と外管４の内周との間にＣ型リング７を配置した態様である。図１１（ｄ）は、環状成型触媒１の下部面と内管３の外周との間にＣ型リング５を配置し、環状成型触媒１の上部面と内管３の外周との間にＣ型リング５を配置し、環状成型触媒１の上部面と外管４の内周との間にＣ型リング７を配置した態様である。図１１（ｄ）は図１１（ｃ）を上下逆にした場合に相当している。図１０〜１１の態様は、以下に述べる複数個の環状成型触媒を内管、外管に対して固定、シールする場合にも同様に適用することができる。
【００５８】
〈態様例４：複数個の環状成型触媒を内管、外管に対して固定、シールの態様例〉
本態様例４は、Ｃ型リングにより複数個の環状成型触媒を内管、外管に対して固定、シールする態様例である。図１２は態様例４を示す図で、２個の環状成型触媒を固定、シールする例を示しているが、３個以上を配置する場合も同様である。例えば、前述図５（ａ）〜（ｇ）、図６（ａ）〜（ｇ）のようにして図６（ｇ）のような状態とする。ただし、内管、外管としては、その軸方向の長さが環状成型触媒の数に対応した長さのものを用いる。
【００５９】
前述図５（ａ）〜（ｆ）のようにして、内管３の下部外周にＣ型リング５を固定し、また前述図８（ａ）〜（ｆ）のようにして、外管４の下部外周にＣ型リング７を固定する。そして、Ｃ型リング５、７の上に環状成型触媒１を配置し、図１２（ａ）のような状態とする。次に、前述図５（ｆ）〜（ｇ）、図６（ｆ）〜（ｇ）のようにして、図１２（ｂ）のような状態とする。
【００６０】
そして、図１２（ｂ）のような状態のＣ型リング５、７の上に２個目の環状成型触媒１を配置し、図１２（ｃ）のような状態とする。こうして、２個の環状成型触媒を内管、外管に対して固定、シールした環状反応器が構成される。２個目の環状成型触媒１の上面に前述と同様にしてＣ型リング５、７を配置して環状反応器としてもよい。図１２（ｄ）はこの環状反応器を示している。３個以上の環状成型触媒を配置する場合も同様である。
【００６１】
図１２（ｃ）の状態の環状反応器において、最上部の環状成型触媒１の上部面と内管外周及び／または外管内周との間に押さえ部材を配置して、環状成型触媒１を押さえるようにしてもよい。押さえ部材はその押さえの役割を果たし得る部材であればよく、円環状丸棒（溶接等により固定する）その他適宜の部材を用いることができる。このように、環状成型触媒１の上部面と内管外周、外管内周間に押さえ部材を配置し環状成型触媒１を押さえることで、本反応器を縦置きに配置して使用する場合、Ｃ型リング５、７を上部に配置した態様で使用することができる。３個以上の環状成型触媒を配置した場合についても同様である。
【００６２】
〈態様例５：Ｃ型リングによる外管に対する円柱状触媒の固定、シールの態様例〉
本発明は、図１３に示すような円柱状触媒１１をＣ型リングにより固定、シールする場合にも適用される。図１３（ａ）は円柱状ハニカム体に触媒を担持した円柱状触媒１１、図１３（ｂ）は触媒及び担体により成型してなる多孔質円柱状触媒１１である。これら円柱状触媒１１は、前述図１（ａ）〜（ｂ）に示すような環状成型触媒１では有する、円環状空隙２は有しない。このため、円柱状触媒１１は、外管に対してのみ、金属製Ｃ型リングを介して配置することになる。図１４はその態様を説明する図である。
【００６３】
図１４（ａ）は外管の下部に固定した金属製Ｃ型リング７の上に円柱状触媒１１を配置した態様である。外管４の内周にＣ型リング７がその広がろうとする反発力で強固に固定され、密にシールされる。そして、円柱状触媒１１はＣ型リング７の上面に載置され、円柱状触媒１１の重さにより密に当接するので、十分にシールされ、ガスが隙間ＴからＣ型リング７の上面と円柱状触媒１１との間を素通りするのが防止される。図１４（ｂ）は円柱状触媒１１の上部周面もＣ型リング７で固定し、シールする態様である。図１４（ｃ）は図１４（ａ）〜（ｂ）の下面図であり、図１４（ｂ）を上から見ても同じように見える。
【００６４】
図１５はその作製過程を説明する図で、図１５（ａ）から（ｄ）までの過程は前述図８（ａ）から（ｄ）まで過程と同様である。図１５（ｄ）のようにＣ型リング７を固定した外管４内に、前述図１３（ａ）〜（ｂ）のような円柱状触媒１１を嵌挿する。外管４の内径ｂ′は円柱状触媒１１の外径ｂより大きいので（ｂ′＞ｂ）、円柱状触媒１１は外管４の内に容易に嵌挿することができる。図１５（ｅ）はこの状態を示している。その外管４の内周面にＣ型リング７が固定されているので、円柱状触媒１１の下部面周縁がＣ型リング７と当接する。図１５（ｆ）はこの状態を示し、図１４（ａ）の環状反応器に相当している。さらに、図１４（ｂ）のように、円柱状触媒１１の上周面に前述と同様にしてＣ型リング７を配置してもよい。本態様例においても、前述態様例４の場合と同様にして、Ｃ型リング７により複数個の円柱状触媒を外管に対して固定、シールするようにしてもよい。
【００６５】
図１４（ａ）、図１５（ｆ）の状態の環状反応器において、円柱状触媒１１の上部面と外管内周との間に押さえ部材を配置して、円柱状触媒１１を押さえるようにしてもよい。押さえ部材はその押さえの役割を果たし得る部材であればよく、円環状丸棒（溶接等により固定する）その他適宜の部材を用いることができる。このように、円柱状触媒１１の上部面周縁と外管の内周間に押さえ部材を配置して円柱状触媒１１を押さえることで、本反応器を縦置きに配置して使用する場合、Ｃ型リング７が上部に位置した態様で使用することができる。複数個の環状成型触媒を配置した場合についても同様である。
【００６６】
この態様の場合にも、図１４、図１５（ｆ）に示すように、円柱状触媒と外管の間には隙間Ｔがあるので、円柱状触媒の熱膨張率と外管の熱膨張率に差があっても、その隙間Ｔは（例えば高温域でのその熱膨張率の差に起因して、その隙間Ｔが広くあるいは狭くなることはあっても）保たれるので、円柱状触媒が破損することはない。なお、この点については、円柱状触媒の熱膨張率と外管の熱膨張率とにより、予めその隙間Ｔの幅をセットしておくことで反応温度においても確実に隙間Ｔが保たれるようにしておくのが好ましい。また、隙間Ｔは可及的に小、すなわち薄いのが好ましい。
【００６７】
本発明の環状反応器は、吸熱を伴う反応にも、発熱を伴う反応にも用いることができる。例えば、炭化水素の水蒸気改質反応や炭化水素の脱水素反応など吸熱を伴う反応に用いられる。炭化水素の水蒸気改質反応の例としては、固体高分子形燃料電池（ＰＥＦＣ）やリン酸形燃料電池（ＰＡＦＣ）、あるいは固体酸化物形燃料電池（ＳＯＦＣ）などの燃料電池システムにおける炭化水素の水蒸気改質反応が挙げられる。
【００６８】
前述のとおり、反応器としての使用時には、本反応器を縦置きに配置して使用する場合、反応ガス（被処理ガス）を上方から下方へ流通させながら反応させ、反応済みガス（処理済みガス）は下方から取り出される。反応ガスを下方から上方へ流通させる場合には、反応済みガスは上方から取り出される。本環状反応器は、そのように縦置きに配置して使用するのに代えて、横置きに配置して使用してもよい。この場合には、横置きした本環状反応器のいずれか一方の側から反応ガス（被処理ガス）を流通させながら反応させる。反応済みガス（処理済みガス）は、それぞれ他方から取り出される。
【実施例】
【００６９】
以下、実施例に基づき本発明をさらに詳しく説明するが、本発明がこれら実施例に限定されないことはもちろんである。
【００７０】
前述のように構成した環状反応器を用いて、都市ガスの水蒸気改質により改質ガスを生成する実験を行い、流通ガスの偏流の有無、程度、メタン転化率、アプローチ温度等を計測した。図１６は実施例で用いた試験装置の概略を示す図である。前述のように構成した環状反応器を配置し、筒状内管内にバーナを配置し、環状反応器の外周に改質ガスの流路を形成した。都市ガスは脱硫器を経て環状成型触媒に流通される。環状成型触媒による改質反応による生成改質ガスは、筒状外管の外周を経て取り出される。バーナによる燃焼ガスは円筒状触媒を流通する都市ガスを加熱した後、燃焼排ガスとして排出される。図１６中、ＴＣは配置した温度センサである。
【００７１】
環状成型触媒の構成、試験条件は以下のとおりである。前記図１（ａ）のような環状成型触媒を用いて環状反応器を作製した。図１７（ａ）にその縦断面図を示している。環状成型触媒は鉄ーアルミニウムークロム系合金（いわゆる“２０Ｃｒ−５Ａｌ”）製のハニカム体にＲｕ触媒担持のアルミナ粉の水性懸濁液を含浸法により担持したものである。触媒の寸法は内径６０ｍｍ、外径７５ｍｍ、高さ７５ｍｍである。その４個を内管３、外管４間にステンレス鋼（ＳＵＳ３０４）製のＣ型リング５、７を介して上下一列に配置した。内管３、外管４はＣ型リング５、７と同じステンレス鋼（ＳＵＳ３０４）製である。反応温度は触媒入口で４００℃、触媒出口で７００℃である。原料（都市ガス１３Ａ）の流量は４Ｌ／ｍｉｎ、圧力は３０ｋＰａＧとし、スチーム比（Ｓ／Ｃモル比）は２．５とした。
【００７２】
また、比較例として、上記と同様にして作製した環状成型触媒の４個を内管及び外管間に配置した環状反応器を構成した。図１７（ｂ）にその縦断面図を示している。すなわち、内管３の外周及び外管４の内周（環状成型触媒の下部端が位置する箇所）に円環状の丸棒９を溶接、固定し、これに環状成型触媒を配置し、次にその環状成型触媒の上部面に相当する内管３の外周及び外管４の内周に円環状の丸棒１０を溶接、固定し、以降、順次同じく環状成型触媒を４個配置し、支持した。内管３、外管４、丸棒９、１０の材料は実施例と同じである。この環状反応器を図１６のように配置し、実施例と同じ試験条件で改質反応を実施した。表１は、これらの実施例及び比較例における試験の結果である。
【００７３】
【表１】
2006223971.tif 000003
【００７４】
表１のとおり、比較例では、ガス吹き抜けがあり、しかもカーボンの析出が観察された。これに対して、実施例では、ガス吹き抜けはなく、カーボン析出も認められなかった。また、偏流の有無について、周方向最大温度差は、比較例では４３℃であったのに対して、実施例では３５℃であり、径方向最大温度差は、比較例では２０℃であったのに対して、実施例では１０℃であり、実施例では偏流が有効に防止されいている。さらに、触媒性能について、メタン転化率は、比較例では８８．３％であったのに対して、実施例では９０．０％であった。
【００７５】
また、アプローチ温度（触媒出口温度と、実際に得られた改質ガス組成に対応する平衡温度との差）は、比較例では２４．１℃であったのに対して、実施例では１１．７℃であり、実施例では触媒性能が有効に改善されいている。さらに、比較例環状反応器の作製過程では、各環状成型触媒を配置する前にその支持用丸棒を内管、外管に一々溶接する必要があったのに対して、実施例環状反応器の作製過程では、各Ｃ型リング５を広げ、各Ｃ型リング７を縮めるだけで容易に各環状成型触媒を配置し、固定できた。
【図面の簡単な説明】
【００７６】
【図１】本発明で対象とする環状成型触媒（＝円筒状触媒）の例を示す図
【図２】筒状内管、筒状外管を示す図
【図３】筒状内管側に配置される金属製Ｃ型リングの態様を示す図
【図４】筒状外管側に配置される金属製Ｃ型リングの態様を示す図
【図５】内管に対し金属製Ｃ型リングを介して環状成型触媒を配置する態様を説明する図
【図６】外管に対し金属製Ｃ型リングを介して環状成型触媒を配置した態様を説明する図
【図７】図５〜６のようにして構成した本発明に係る環状反応器の要点部分を示す図
【図８】本発明の態様例２に係る環状反応器の作製態様を説明する図
【図９】本発明の態様例２に係る環状反応器の要点部分を示す図
【図１０】本発明の各種変形態様を説明する図
【図１１】本発明の各種変形態様を説明する図
【図１２】本発明の態様例３に係る環状反応器の要点部分を示す図
【図１３】金属製Ｃ型リングによる外管に対する円柱状触媒の配置態様を説明する図
【図１４】外管に対し金属製Ｃ型リングを介して円柱状触媒を配置した態様を説明する図
【図１５】外管に対し金属製Ｃ型リングを介して円柱状触媒を配置する態様を説明する図
【図１６】実施例で用いた環状反応器の概略を示す図
【図１７】実施例で用いた試験装置の概略を示す図
【図１８】先行技術の概略を示す図
【図１９】先行技術の概略を示す図
【符号の説明】
【００７７】
１  環状成型触媒
２  円環状の空隙
３  筒状内管
４  筒状外管
５  内管側Ｃ型リング
６、８  切れ込み
７  外管側Ｃ型リング
９、１０  丸棒（溶接）
Ｓ  内管３の外周とＣ型リング５の内側面との間の間隙
Ｓ′  外管３の内周とＣ型リング７の外側面との間に間隙
Ｔ  環状成型触媒と内管の間、環状成型触媒と外管の間の隙間
１１  円柱状触媒
２１、２２  無機質繊維マット２００の端部
２３  長手方向の余剰部分
３０  触媒保持体
９５  金属シェル
２００  無機質繊維マット
２１１  凸部
２２１  凹部
１００  触媒ケース
１００ａ  テーパー面を有するロート部
１０５  排気マニホールド
１０２  触媒
１０３  触媒保持材
１０４  スペーサ                                                        
【図１】
2006223971.tif 000004
【図２】
2006223971.tif 000005
【図３】
2006223971.tif 000006
【図４】
2006223971.tif 000007
【図５】
2006223971.tif 000008
【図６】
2006223971.tif 000009
【図７】
2006223971.tif 000010
【図８】
2006223971.tif 000011
【図９】
2006223971.tif 000012
【図１０】
2006223971.tif 000013
【図１１】
2006223971.tif 000014
【図１２】
2006223971.tif 000015
【図１３】
2006223971.tif 000016
【図１４】
2006223971.tif 000017
【図１５】
2006223971.tif 000018
【図１６】
2006223971.tif 000019
【図１７】
2006223971.tif 000020
【図１８】
2006223971.tif 000021
【図１９】
2006223971.tif 000022